(57)【要約】      （修正有）【課題】ドラフト本体の設置される室内空調の負担を軽減するドラフトを提供する。【解決手段】化学分析・実験室４に設置されたドラフト本体１０と接続された排気ダクト１１とは別に、建物１の外部から化学分析・実験室４へ外気を給気する給気ダクト１５を設ける。排気ダクト１１と給気ダクト１５の途中に熱交換器１６を介装し、排気ダクト１１の中を流れる排出空気と給気ダクト１５の中を流れる外気との間で熱交換を行なわせる。熱交換器１６に給気ファン１７と排気ファン１８を設け、マニュアル操作に従いコントローラ１９が給気ダクト１５の給気流量と排気ファン１４の排気流量を調節可能とする。【選択図】図１
0003176938.tif 000002
【実用新案登録請求の範囲】
【請求項１】
室内に設置されたドラフト本体と接続されてドラフト本体が吸引した室内空気を外部へ排出する排気ダクトと排気ファンを含む排気系手段と、
ドラフト本体の設置された室内に外気を給気する給気ダクトと給気ファンを含む給気系手段と、
排気ダクト中を流れる排出空気と給気ダクト中を流れる外気との間で熱交換を行なう熱交換手段とを備えたこと、
を特徴とするドラフト。
【請求項２】
排気系手段による排気流量と給気系手段による給気流量を調節する調節手段を備えたこと、
を特徴とする請求項１記載のドラフト。
【考案の詳細な説明】
【技術分野】
【０００１】
本考案はドラフトに係り、とくにドラフト本体の設置される室内空調の負担を軽減可能なドラフトに関する。
【背景技術】
【０００２】
従来から、化学分析・化学実験を行なう場合に発生する有害ガスや臭気ガスを作業者が吸い込まないようにするため、ドラフトと呼ばれる局所排気装置が使用されている。このドラフトは、例えば特開平９−２０１５４０号に開示されている如く、箱形のドラフト本体と排気ダクトを備えており、ドラフト本体の上部に設置された排気ファンを稼働してドラフト本体の前面開口から内部の作業テーブル上の空間に室内空気を吸引し、排気ダクトを通して外部へ排気することで、作業テーブル上で発生した有害ガスや臭気ガスを室内に洩れさせることなく外部へ排除するようになっている。
【０００３】
ところで、化学分析・化学実験を行なう作業室は空調機器により、夏は冷房、冬は暖房をして各々或る適温値に維持される。ところが、上記したドラフトは稼働時に、これら空調された室内空気をドラフト本体と排気ダクトを介して大量に外部に排出させてしまうため、空調機器の設定温度を夏は適温値よりかなり低く設定しなければならず、冬は適温値よりかなり高く設定しなければならず、空調のためのエルルギー消費が過大となる欠点が有った。
【先行技術文献】
【特許文献】
【０００４】
【特許文献１】特開平９−２０１５４０号公報
【考案の概要】
【考案が解決しようとする課題】
【０００５】
本考案は上記した従来技術の問題に鑑み、夏冬の空調の負担を軽減可能なドラフトを提供することを、その目的とする。
【課題を解決するための手段】
【０００６】
請求項１記載の考案では、室内に設置されたドラフト本体と接続されてドラフト本体が吸引した室内空気を外部へ排出する排気ダクトと排気ファンを含む排気系手段と、ドラフト本体の設置された室内に外気を給気する給気ダクトと給気ファンを含む給気系手段と、排気ダクト中を流れる排出空気と給気ダクト中を流れる外気との間で熱交換を行なう熱交換手段とを備えたこと、を特徴としている。
請求項２記載の考案では、排気系手段による排気流量と給気系手段による給気流量を調節する調節手段を備えたこと、を特徴としている。
【考案の効果】
【０００７】
本考案によれば、ドラフト本体に吸引されて外部へ排出される排出空気と外部から室内に供給する外気との間で熱交換を行なうようにしたので、夏場は室内から外部に持ち出される冷熱が減少し、冬場は室内から外部に持ち出される温熱が減少する。このため、空調機器の設定温度と室内適温値との差を小さくすることができ、空調に消費されるエネルギーを節約することが可能となる。
また、排気系手段による排気流量と給気系手段による給気流量を調節できるので、室内圧をドラフト本体の内部圧より高く維持させることが簡単となる。
【図面の簡単な説明】
【０００８】
【図１】本考案の一実施例に係るドラフトの全体構成を示す構成図である（実施例１）。
【考案を実施するための形態】
【０００９】
以下、本考案の最良の形態を実施例に基づき説明する。
【実施例１】
【００１０】
図１を参照して本考案に係るドラフトの実施例を説明する。
図１は本考案の一実施例に係るドラフトの設置された化学分析・実験室の全体構成を示す構成図である。
１は建物、２は外壁、３は１階と２階の間の天井壁、４は建物１の１階の内部に形成された化学分析・実験室、５と６は化学分析・実験室４の側壁、７は化学分析・実験室４の天井壁、８はドア、９は化学分析・実験室４に設置された空調機器、１０は化学分析・実験を行なう箱形のドラフト本体、１１はドラフト本体１０と接続された排気ダクトである。ドラフト本体１０の内、１２は前面のガラス窓、１３は開口、１４はドラフト本体の上部に内蔵された排気ファンである。排気ダクト１１はドラフト本体１０とは反対の他端側が天井裏から建物１の外部へ延設されている。排気ダクト１１は排気ファン１４の稼働で開口１３からドラフト本体１０の内部に吸引された室内空気を有毒ガスや臭気ガスとともに建物外部へ排出する。
１５は建物１の外部から化学分析・実験室４へ外気を給気する給気ダクトであり、一端側が外壁２を貫通して建物外部に開口し、他端側から天井裏に沿って排気ダクト１１の近くまで延設されたのち、化学分析・実験室４の中に配設されて開口している。
【００１１】
１６は熱交換器であり、排気ダクト１１及び給気ダクト１５が接続されて、排気ダクト１１の中を流れる排出空気と給気ダクト１５の中を流れる外気との間で熱交換を行なわせる。１７と１８は熱交換器１６の内、外気の入口側に設けられた給気ファンと排出空気の入り口側に設けられた排気ファン、１９は給気ファン１７と排気ファン１８の回転速度をマニュアル操作に従い制御し、給気流量と排気流量を個別に調節するコントローラであり、室内圧がドラフト本体１０の内圧（負圧）より高い状態に維持させることができるようになっている。
ドラフト本体１０、排気ダクト１１、給気ダクト１５、熱交換器１６によりドラフト２０が形成されている。
【００１２】
次に、上記した実施例の動作を説明する。
予め空調機器９を稼働し、化学分析・実験室４を所望の適温値に空調しておく。ドラフト２０を稼働状態にすると、ドラフト本体１０の上部に設置された排気ファン１４と熱交換器１６の排気ファン１８により、ドラフト本体１０の前面の開口１３から内部の作業テーブル（図示しない）上の空間に室内空気が吸引され、排気ダクト１１を通して建物外部へ排気される。これにより、ドラフト本体１０の作業テーブル上で発生した有害ガスや臭気ガスを化学分析・実験室４に洩れさせることなく外部へ排除することができる。一方、熱交換器１６の給気ファン１７により、外気が建物外部から給気ダクト１５を通して化学分析・実験室４に給気される。これにより、化学分析・実験室４が大きな負圧となるのが防止され、ドア８の開け閉めが容易になりるとともに、ドア８を開けた際のドア８と側壁５との隙間から入り込む空気流を少なくでき騒音が生じない。
若し、外気の給気をしないとき、化学分析・実験室４が大きな負圧となるため、ドア８の開け閉めに大きな力を要するようになり、また、ドア８を開けた際のドア８と側壁５との隙間から入り込む空気流で大きな騒音を発してしまう。
【００１３】
また、夏場は空調による冷熱が排出空気とともに外部に排出されようとするが、途中に設置された熱交換器１６により給気ダクト１５を流れる外気側に伝達されて化学分析・実験室４に戻されるので、冷熱のロスが大幅に減少する。反対に、冬場は空調による温熱が排出空気とともに外部に排出されようとするが、途中に設置された熱交換器１６により給気ダクト１５を流れる外気側に伝達されて化学分析・実験室４に戻されるので、温熱のロスが大幅に減少する。このため、空調機器８の設定温度と室内適温値との差を小さくすることができ、空調に消費されるエネルギーを節約することが可能となる。
また、コントローラ１９を用いてマニュアル操作で熱交換器１６の給気ファン１７と排気ファン１８の回転速度を個別に調節し、室内圧がドラフト本体１０の内圧より所望の差圧だけ高い状態とする。これにより、有毒ガスや臭気ガスを含む排出空気が室内側に逆流するのを確実に防止できる。
【００１４】
このように構成されたドラフト２０によれば、ドラフト２０の稼働時に、ドラフト本体１０の前面の開口１３から内部に吸引され、排気ダクト１１を介して建物１の外部へ排出される排出空気と外部から化学分析・実験室４の中に供給する外気との間で熱交換がなされるので、夏場は室内から外部に持ち出される冷熱が減少し、冬場は室内から外部に持ち出される温熱が減少する。このため、空調に消費されるエネルギーを節約することが可能となる。
また、排気系の排気流量と給気系の給気流量をマニュァル操作で個別に調節できるので、室内圧をドラフト本体１０の内部圧より所望の差圧だけ高く維持させることが簡単となる。
【００１５】
なお、上記した実施例では、マニュアル操作で給気ファンと排気ファンによる給気流量と排気流量を個別に調節可能としたが、室内圧とドラフト本体の内部圧の所望差圧を設定すれば、コントローラが給気ファンと排気ファンによる給気流量と排気流量を前記所望差圧が得られるように自動的に調節するように構成しても良い。
また、排気ダクトの外部側端部に排気ファンを設けたり、給気ダクトの外部側端部に給気ファンを設けても良い。
【産業上の利用可能性】
【００１６】
本考案は、局所排気装置、プッシュプル型換気装置など各種タイプのドラフト本体に適用可能である。
【符号の説明】
【００１７】
４  化学分析・実験室
９  空調機器
１０  ドラフト本体
１１  排気ダクト
１３  開口
１４、１８  排気ファン
１５  給気ダクト
１６  熱交換器
１７  給気ファン
１９  コントローラ
２０  ドラフト
【図１】
0003176938.tif 000003